Podtech/llm-jp-corpus-v4-ja_patent huggingface dataset:
【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
集積回路の形成された半導体基板の上に、少なくとも１つの無機系の素材からなる犠牲層を挟み、あるいはパターニングして、少なくとも１つの有機系素材からなる構造層を形成する工程と、
前記犠牲層を除去する工程とを有する、半導体基板上に構造物を有する装置の製造方法。
【請求項２】
請求項１において、前記有機系の構造層は光学素子として機能する、半導体基板上に構造物を有する装置の製造方法。
【請求項３】
請求項１において、前記半導体基板は酸化物あるいは窒化物の層が最上面に形成されており、前記犠牲層はアモルファスシリコンからなることを特徴とする、半導体基板上に構造物を有する装置の製造方法。
【請求項４】
請求項３において、前記半導体基板はＣＭＯＳ基板である、半導体基板上に構造物を有する装置の製造方法。
【請求項５】
請求項１において、前記構造層の少なくとも１部によりアクチュエータを形成する、半導体基板上に構造物を有する装置の製造方法。
【請求項６】
請求項５において、前記アクチュエータは静電アクチュエータであり、前記構造層の他の１部により該アクチュエータにより駆動される有機系の素材からなる被駆動部を形成する、半導体基板上に構造物を有する装置の製造方法。
【請求項７】
請求項６において、前記被駆動部が光学素子として機能する、半導体基板上に構造物を有する装置の製造方法。
【請求項８】
請求項７において、前記半導体基板上に構造物を有する装置は、光スイッチングデバイス、映像デバイス、表示装置またはこれらを構成する部品であることを特徴とする、半導体基板上に構造物を有する装置の製造方法。
【手続補正２】
【補正対象書類名】明細書
【補正対象項目名】０００７
【補正方法】変更
【補正の内容】
【０００７】
本発明においては、有機系のスペーサの代わりに無機系のスペーサを採用するようにしている。すなわち、本発明の製造方法は、集積回路の形成された半導体基板の上に、少なくとも１つの無機系の素材からなる犠牲層を挟み、あるいはパターニングして、少なくとも１つの構造層を形成する工程と、犠牲層を除去する工程とを有することを特徴としており、これらの工程を有する製造方法により、半導体基板上に構造物を有する装置を製造するようにしている。無機系の犠牲層であれば、半導体基板上の構造物となる構造層の少なくとも１つを有機系の素材からなるものにしても、その有機系の構造層に影響を与え、あるいは侵食することなく犠牲層をエッチングなどにより除去できる条件を容易に設定できる。したがって、本発明の製造方法により、半導体基板上に樹脂からなる構造物、あるいは樹脂と他の素材あるいは部材が組み合わされた構造物を形成した複合デバイスを実際に製造することが可能となる。また、有機材料の構造層を光学素子として機能させることが可能となり、本願出願人が開発した光スイッチング素子、あるいは空間光変調装置を実際に量産することが可能となる。
【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
透明支持体上に気相法シリカを含有するインク受容層を有するインクジェット記録材料において、該インク受容層が多価金属の水溶性化合物を含有することを特徴とするインクジェット記録材料。
【手続補正書】
【提出日】平成15年9月22日(2003.9.22)
【手続補正１】
【補正対象書類名】明細書
【補正対象項目名】特許請求の範囲
【補正方法】変更
【補正の内容】
【特許請求の範囲】
【請求項１】
支持体上に気相法シリカを含有するインク受容層を有するインクジェット記録材料において、前記インク受容層が多価金属の水溶性化合物と、ｐＫａが１．０以上の酸とアルカリ金属との塩を含有することを特徴とするインクジェット記録材料。
【手続補正書】
【提出日】平成16年1月13日(2004.1.13)
【手続補正１】
【補正対象書類名】明細書
【補正対象項目名】００１８
【補正方法】変更
【補正の内容】
【００１８】
【発明の効果】
以上に説明したように、バッグ内膜をバッグ外膜に分離可能に密着させた陰圧粒子バッグに無機質粒子を充填し、陰圧を印加することによりチェック用義肢装具に必要な強度が得られる。バッグ内膜が高伸縮性弾性材料製であるため被施術者の肢断端に対する適合性がよく、バッグ外膜で保形性が確保される。また、陰圧粒子バッグに加える陰圧を調整することにより、手作業で陰圧粒子バッグの形状を微調整でき、採型対象部位に対応した形状修正が容易になる。このようにして得られたチェック用義肢装具は十分な強度をもち採型対象部位に対する適合性も良好なことから即時試用され、本義肢製作までの時間，工程が簡略化され、被施術者にかかる負担も軽減される。
【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
液透過性の肌当接面と、液不透過性の非肌当接面と、該肌当接面及び該非肌当接面の間に介在された吸収部とを備え、実質的に縦長に形成されてなる吸収性物品において、
装着時に装着者の体液排泄部に当接される排泄部当接部の上記肌当接面に形成された一対の前方溝と、装着時に装着者の後ろ側に当接される後方部の上記肌当接面に形成された後方溝とを有しており、
上記後方溝は、小溝を複数個非連続的に形成させる溝加工が施されて、該小溝及び該小溝間を連続的に上記肌当接面よりも窪ませた２段階の深さに形成されていることを特徴とする吸収性物品。
【請求項２】
上記前方溝は、上記吸収性物品の長手方向に沿って形成されており、
上記後方溝は、上記吸収性物品の幅方向に沿って形成されていることを特徴とする請求項１に記載の吸収性物品。
【請求項３】
上記小溝は、菱形形状を有していることを特徴とする請求項１に記載の吸収性物品。
【請求項４】
上記小溝のピッチは、０．５〜５ｍｍであり、
溝の形成されていない部分における上記吸収性物品の厚さＴ2に対する、上記小溝間における該吸収性物品の厚さＴ3の比Ｔ3／Ｔ2は、０．２〜０．８であり、
上記小溝間における上記吸収性物品の厚さＴ3に対する、該小溝の形成されている部分における該吸収性物品の厚さＴ1の比Ｔ1／Ｔ3は、０．１〜０．８であることを特徴とする請求項１に記載の吸収性物品。
【手続補正２】
【補正対象書類名】明細書
【補正対象項目名】０００６
【補正方法】変更
【補正の内容】
【０００６】
本発明は、上記知見に基づきなされたもので、液透過性の肌当接面と、液不透過性の非肌当接面と、該肌当接面及び該非肌当接面の間に介在された吸収部とを備え、実質的に縦長に形成されてなる吸収性物品において、装着時に装着者の体液排泄部に当接される排泄部当接部の上記肌当接面に形成された一対の前方溝と、装着時に装着者の後ろ側に当接される後方部の上記肌当接面に形成された後方溝とを有しており、上記後方溝は、小溝を複数個非連続的に形成させる溝加工が施されて、該小溝及び該小溝間を連続的に上記肌当接面よりも窪ませた２段階の深さに形成されていることを特徴とする吸収性物品を提供するものである。
また、本発明は、上記吸収性物品であって、上記前方溝は、上記吸収性物品の長手方向に沿って形成されており、上記後方溝は、上記吸収性物品の幅方向に沿って形成されているものを提供するものである。
【手続補正３】
【補正対象書類名】明細書
【補正対象項目名】００２６
【補正方法】変更
【補正の内容】
【００２６】
本実施形態の生理用ナプキン１０によると、後方溝１５の側方部１５ｃ，１５ｃによって、後方部１０ｂにおいても横漏れが回避される。
本実施形態の生理用ナプキン１０によると、後方溝１５が生理用ナプキン１０の長手方向の両側縁部に沿う側方部１５ｃ，１５ｃを備えているので、装着時に後方部１０ｂも装着者に良好にフィッし、排泄された体液が装着者の皮膚を伝わって移行するのが回避され、後方溝１５の後方部１５ｂに至る体液の量が少なく抑えられる。
本実施形態の生理用ナプキン１０によると、後方溝１５が前方溝１６，１６と連設されているので、広範囲において余すところなく体液の漏れが回避される。
また、本実施形態の生理用ナプキン１０によると、後方溝１５及び前方溝１６，１６が、非連続で複数の小溝を連続させることにより形成されているので、長手方向及び後方部の幅方向において良好な可撓性が確保され、より良好なフィット性により後漏れ、横漏れが回避される。
本実施形態の生理用ナプキン１０によると、後方溝１５及び前方溝１６，１６が全て同一の溝加工を肌当接面Ｐ側から施すことにより形成されるので、一度の工程で全ての溝を形成させることが可能である。


【手続補正４】
【補正対象書類名】明細書
【補正対象項目名】００３５
【補正方法】変更
【補正の内容】
【００３５】
本実施形態においても、上述の第１の実施形態と同様の作用及び効果を得ることができる。
特に本実施形態によると、フラップにより形成された防漏壁４８ａにより更に横漏れが確実に回避される。また、防漏壁４８ａからの折り返しによってサイドポケットＳが形成されるのでこのサイドポケットＳによっても、横漏れが回避される。また、防漏面４８ｂが装着者の肌に沿って広がった状態で保持されるので、サイドポケットＳの形状が安定して保持され、また吸収部Ａのよれが抑制される。


【手続補正５】
【補正対象書類名】明細書
【補正対象項目名】００３６
【補正方法】変更
【補正の内容】
【００３６】
次に、本発明の吸収性物品の第５の実施形態について図面を参照しながら具体的に説明する。尚、本実施形態に於いて図１乃至図３に示す第１の実施形態と同様の部材については同一の符号を付し、説明は省略する。
図７は、本発明の吸収性物品の第５の実施形態としての男性用失禁パッドを示す平面図である。


【手続補正６】
【補正対象書類名】明細書
【補正対象項目名】００３８
【補正方法】変更
【補正の内容】
【００３８】
本実施形態の男性用失禁パッド５０は、中央部Ｃが股下に当接され、前方溝１６は装着者の前方に配置された状態で装着される。装着状態においては、排泄部当接部５０ａに側方から幅方向の力が加えられ、上記排泄部当接部５０ａは、前方溝１６，１６において屈曲し、前方溝１６，１６間が肌当接面Ｐ側に隆起した断面アーチ状となって、装着者に良好にフィットした状態で当接される。
そして、上記第１の実施形態と同様に、後漏れ、横漏れが回避される。このように、排泄部当接部が上記第１の実施形態乃至第４の実施形態の如く股下部に配置されない吸収性物品においても、前方溝及び後方溝により良好なフィットを得、且つ後漏れ、横漏れを回避することができる。


【手続補正７】
【補正対象書類名】明細書
【補正対象項目名】００３９
【補正方法】変更
【補正の内容】
【００３９】
尚、本発明の吸収性物品は、上述の形態には何ら制限されず、本発明の趣旨を逸脱しない範囲で種々変更が可能である。
例えば、本発明の吸収性物品における後方溝は、上記各実施形態のように前端から後端までの一本の連続した溝に限られず、図８に示すように、数箇所において非連続に形成された後方溝６５とすることもできる。
また、図９に示すように、後方溝７５を、頂点が幅方向中央に配置された略く字形のものとすることもできる。この後方溝７５を生理用ナプキン７０の長手方向に直列に複数配設することによって、上記第１の実施形態の後方溝１５や第２の実施形態の後方溝２５における側方部１５ｃ，２５ｃと同様の作用により、後方部１０ｂにおける横漏れも回避することができる。
また、上述の実施形態のように長手方向において分割された非連続複数の小溝により形成した場合に、小溝の形状等は特に限定されない。
図１０に示すように、前方溝１６，１６と後方溝８５とは連続していないものとしたり、図１１に示すように、前方溝それぞれの前端どうしをつなぐ前方溝９９を設けることもできる。
【手続補正書】
【提出日】平成15年10月16日(2003.10.16)
【手続補正１】
【補正対象書類名】明細書
【補正対象項目名】００１１
【補正方法】変更
【補正の内容】
【００１１】
ヘッドバンド８は、水中マスク１の着用者頭部の後方に位置する中間部１５と、中間部１５から前方ヘ延びる一対の先端部７とからなり、頭部に当接する内面１６と、内面１６の反対側の外面１７とを有する。先端部７は、とがった最先端部７ａを除いて、図の上下で互いに平行する両側縁１８を有し、側縁１８と１８との間の幅ｗと側縁１８に沿う部分１９の厚さｔ（図３を併せて参照）とはほぼ一様に形成されている。ただし、先端部７の内面１６における幅方向の中央部には、その幅方向に長く、先端部７の長さ方向へ間欠的に並び、内面１６から突出する複数の係合歯２０が形成されている。


【手続補正２】
【補正対象書類名】図面
【補正対象項目名】図３
【補正方法】変更
【補正の内容】
【図３】
2003265647.tif 000001
【手続補正書】
【提出日】平成15年8月11日(2003.8.11)
【手続補正１】
【補正対象書類名】明細書
【補正対象項目名】特許請求の範囲
【補正方法】変更
【補正の内容】
【特許請求の範囲】
【請求項１】
リールの回転を停止手段の操作によって停止させるようにしたスロットマシンにおいて、
前記停止手段の操作時に、少なくとも該停止手段に対して衝撃を付与する衝撃付与手段を設けたことを特徴としたスロットマシン。
【請求項２】
リールの回転を停止手段の操作によって停止させるようにしたスロットマシンにおいて、
前記停止手段の操作時に、少なくとも該停止手段の近傍に対して衝撃を付与する衝撃付与手段を設けたことを特徴としたスロットマシン。
【請求項３】
前記衝撃付与手段による衝撃を、前記停止手段の近傍に対して付与することを特徴とした請求項１に記載のスロットマシン。
【請求項４】
前記衝撃付与手段を、前記停止手段の取り付け板の裏面に設置したことを特徴とした請求項１〜３のうちのいずれか１項に記載のスロットマシン。
【請求項５】
前記停止手段は、ストップボタンであることを特徴とする請求項１〜４のうちのいずれか１項に記載のスロットマシン。
【手続補正２】
【補正対象書類名】明細書
【補正対象項目名】０００６
【補正方法】変更
【補正の内容】
【０００６】
また、停止手段の操作に連動して衝撃を停止手段の近傍に付与する衝撃付与手段をスロットマシンに設け、停止手段を操作している遊戯者に停止手段の操作と同時に衝撃付与手段からの衝撃が伝達されるようにした。
停止手段は、押圧型のストップボタンの他、接触型のタッチスイッチ等その種類は問わない。
【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
身体の末端間のインピーダンスと体重とを測定し、別に入力された身長及び性別、年齢等の身体データーとから被測定者の体内脂肪量を算出する体内脂肪量計付体重計であって、被測定者の体重を測定するための重量センサと、被測定者の両足間のインピーダンスを測定するための足用電極と、被測定者の両手間のインピーダンスを測定するための手用電極と、これら足用電極と手用電極とを切替える切替器を備えたインピーダンス測定装置とを有し、前記足用電極と被測定者の足との接触が不十分であると判断されるときには前記足用電極から前記手用電極に切替えて測定した両手間のインピーダンスを用いて前記体内脂肪量を算出することを特徴とする体内脂肪量計付体重計。
【請求項２】
前記インピーダンス測定装置は、前記重量センサが規定以上の負荷を検知した場合に足用電極の電流供給電極と電圧検出電極との間の抵抗値を測定し、この測定した抵抗値が規定値より大きいか、又は抵抗値が変化するときに、前記足用電極と足との接触が不十分であると判断することを特徴とする請求項１に記載の体内脂肪量計付体重計。
【請求項３】
前記インピーダンス測定装置は、前記測定された体重及び両足間のインピーダンスと別に入力された身長及び性別、年齢等の身体データーとから算出された体内脂肪量の値が、前記身体データーから予測される体内脂肪量の値と大幅に異なった値のときに、前記足用電極と足との接触が不十分であると判断することを特徴とする請求項１に記載の体内脂肪量計付体重計。
【請求項４】
前記体内脂肪量の算出のため、両足間のインピーダンスに対応した計算式と両手間のインピーダンスに対応した計算式との二つの計算式を備え、前記インピーダンス測定装置において測定されたインピーダンスに合わせてこれらの計算式を使い分けることを特徴とする請求項１乃至３に記載の体内脂肪量計付体重計。
【手続補正書】
【提出日】平成15年12月10日(2003.12.10)
【手続補正１】
【補正対象書類名】明細書
【補正対象項目名】特許請求の範囲
【補正方法】変更
【補正の内容】
【特許請求の範囲】
【請求項１】
複数の撮影動作モードによりＸ線透視撮影台の姿勢、位置を設定すると共に、記憶部に予め記憶された撮影動作モードの手技に対応したＸ線条件を読み出して設定し、それらの設定されたＸ線透視撮影台の姿勢、位置及びＸ線条件に応じたＸ線透視又はＸ線撮影を行うＸ線透視撮影装置において、
前記複数の撮影動作モードのうちの所望の撮影動作モードを選択する第１の操作器と、
この第１の操作器により選択された撮影動作モードに応じた前記Ｘ線透視撮影台の姿勢、位置の組み合わせを記憶する記憶手段と、
この記憶手段により記憶された前記Ｘ線透視撮影台の姿勢、位置の組み合わせを読み出すと共に、前記記憶部に予め記憶されたＸ線条件を読み出して実際のＸ線透視又はＸ線撮影を行わせるための操作を行う第２の操作器と、
この第２の操作器の操作に応じてＸ線透視又はＸ線撮影を行わせる制御手段と、を備えたことを特徴とするＸ線透視撮影装置。
【請求項２】
請求項１に記載のＸ線透視撮影装置において、前記第２の操作器は、当該操作器が入力されている間だけ前記制御手段を作動状態に保ち、その入力を取り除かれれば直ちに前記制御手段を復帰する制御方式であることを含む。
【手続補正書】
【提出日】平成15年10月9日(2003.10.9)
【手続補正１】
【補正対象書類名】明細書
【補正対象項目名】０００５
【補正方法】変更
【補正の内容】
【０００５】
スライダー５８が上昇して逆Ｕ字状の段状切欠４３の段部４５からストッパーピン４８のクロスピン４７が外れると、圧縮ばね４９の作用によりストッパーピン４８は図１０に示すように前方へ瞬間的に突出し、その先端部にてモジュール板裏面のゴム板４２を圧接し、モジュール板４１をスケール６０に圧接させた状態にて固定する。


【手続補正２】
【補正対象書類名】図面
【補正対象項目名】図２
【補正方法】変更
【補正の内容】
【図２】
1998179524.tif 000001
【手続補正３】
【補正対象書類名】図面
【補正対象項目名】図６
【補正方法】変更
【補正の内容】
【図６】
1998179524.tif 000002
【手続補正書】
【提出日】平成15年11月27日(2003.11.27)
【手続補正１】
【補正対象書類名】明細書
【補正対象項目名】特許請求の範囲
【補正方法】変更
【補正の内容】
【特許請求の範囲】
【請求項１】
ミシンフレームと、該ミシンフレームの上部に架設されたブリッジと、該ブリッジに支持された複数の縫製ヘッドと、各縫製ヘッドの針棒及び天秤を駆動する上軸と、各縫製ヘッドの下方に配設された複数の釜と、各釜を駆動する下軸と、前記ブリッジの中央部に設置されたモータと、前記ブリッジを貫通することなくブリッジの外部において前記モータの動力を前記上軸の中央部に伝達する動力伝達機構と、前記上軸の回転を前記下軸に伝達する回転伝達機構とを備えた多頭式ミシン。
【請求項２】
前記モータを前記ブリッジの上面に設置し、ボビンを支持して前記縫製ヘッドに上糸を供給するための糸立て装置は前記ブリッジの上面以外の部位に設けた請求項１記載の多頭式ミシン。
【手続補正２】
【補正対象書類名】明細書
【補正対象項目名】０００６
【補正方法】変更
【補正の内容】
【０００６】
【課題を解決するための手段】
上記の課題を解決するために、本発明の多頭式ミシンは、ミシンフレームと、ミシンフレームの上部に架設されたブリッジと、ブリッジに支持された複数の縫製ヘッドと、各縫製ヘッドの針棒及び天秤を駆動する上軸と、各縫製ヘッドの下方に配設された複数の釜と、各釜を駆動する下軸と、ブリッジの中央部に設置されたモータと、ブリッジを貫通することなくブリッジの外部においてモータの動力を上軸の中央部に伝達する動力伝達機構と、上軸の回転を下軸に伝達する回転伝達機構とを備える。
【手続補正書】
【提出日】平成15年11月27日(2003.11.27)
【手続補正１】
【補正対象書類名】明細書
【補正対象項目名】特許請求の範囲
【補正方法】変更
【補正の内容】
【特許請求の範囲】
【請求項１】
複数の縫製ヘッド及び釜を備えた多頭式ミシンの駆動装置において、各縫製ヘッドの針棒及び天秤を駆動する上軸と、各釜を駆動する下軸と、モータと、前記モータの動力を前記上軸の中央部に伝達する動力伝達機構と、前記上軸の回転をその一端部のみからこれと相対する前記下軸の一端部に伝達する回転伝達機構とを備えることを特徴とする多頭式ミシンの駆動装置。
【請求項２】
前記複数の縫製ヘッドを一列に支持するブリッジを設け、該ブリッジの中央部に前記モータを設置した請求項１記載の多頭式ミシンの駆動装置。
【手続補正２】
【補正対象書類名】明細書
【補正対象項目名】０００４
【補正方法】変更
【補正の内容】
【０００４】
【発明が解決しようとする課題】
ところが、前掲明細書の駆動装置によると、駆動軸を追加する必要があるばかりでなく、ミシンの両端部にタイミングベルト、プーリ等を含む二組の回転伝達機構を設置する必要もあって、部品点数が増え、機構が複雑となり、ミシン全体が大型・重量化し、コストも高くなるという問題があった。


【手続補正３】
【補正対象書類名】明細書
【補正対象項目名】０００６
【補正方法】変更
【補正の内容】
【０００６】
【課題を解決するための手段】
上記の課題を解決するために、本発明は、複数の縫製ヘッド及び釜を備えた多頭式ミシンの駆動装置において、各縫製ヘッドの針棒及び天秤を駆動する上軸と、各釜を駆動する下軸と、モータと、モータの動力を上軸の中央部に伝達する動力伝達機構と、上軸の回転をその一端部のみからこれと相対する下軸の一端部に伝達する回転伝達機構とを備えることを特徴とする。
【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
中空の外針を備え、この外針の内腔から分岐した分岐流路を有する留置針と、前記外針の内腔に挿通される内針とで構成される留置針組立体であって、
前記内針を前記外針の内腔に挿通した際、前記内針または外針の先端開口と前記分岐流路とを連通する流路を形成する流路形成手段を有することを特徴とする留置針組立体。
【請求項２】
前記流路形成手段は、前記内針に形成され、前記分岐流路と前記内針の内腔とを連通する側孔で構成される請求項１に記載の留置針組立体。
【請求項３】
前記側孔は、前記内針を前記外針の内腔に挿通したときの前記分岐流路の分岐部に対応する位置に形成されている請求項２に記載の留置針組立体。
【請求項４】
前記流路形成手段は、前記内針の外周部の、少なくとも前記外針と密着する部分に形成された欠損部で構成される請求項１に記載の留置針組立体。
【請求項５】
前記内針は、その針先に傾斜した刃面を有し、前記欠損部は、前記刃面の根元部付近から内針の軸方向に沿って形成されている請求項４に記載の留置針組立体。
【請求項６】
前記流路形成手段は、前記内針の外周部の、少なくとも前記外針と密着する部分に形成された粗面で構成される請求項１に記載の留置針組立体。
【請求項７】
前記流路形成手段は、前記外針の内周部の、少なくとも前記内針と密着する部分に形成された空隙部で構成される請求項１に記載の留置針組立体。
【請求項８】
中空の外針を備え、この外針の内腔から分岐した分岐流路を有する留置針と、前記外針の内腔に挿通される内針とで構成される留置針組立体であって、
前記内針を前記外針の内腔に挿通した際、前記内針および外針の各先端開口と前記分岐流路とを連通する流路を形成する流路形成手段を有することを特徴とする留置針組立体。
【請求項９】
前記流路形成手段は、前記内針に形成され、前記分岐流路と前記内針の内腔とを連通する側孔と、前記内針の外周部の、少なくとも前記外針と密着する部分に形成された欠損部とで構成される請求項８に記載の留置針組立体。
【請求項１０】
前記流路形成手段は、前記内針に形成され、前記分岐流路と前記内針の内腔とを連通する側孔と、前記外針の内周部の、少なくとも前記内針と密着する部分に形成された空隙部とで構成される請求項８に記載の留置針組立体。
【請求項１１】
前記外針の先端部に、その内径が縮径し、前記内針に密着する縮径部を有し、該縮径部の内周面に、前記空隙部が形成されている請求項７または１０に記載の留置針組立体。
【手続補正書】
【提出日】平成15年10月28日(2003.10.28)
【手続補正１】
【補正対象書類名】明細書
【補正対象項目名】００６４
【補正方法】変更
【補正の内容】
【００６４】
（４）塩基配列の決定
ｐＣＥＶ４Ｃ７の二本鎖ＤＮＡの塩基配列を、オートサイクルシークエンシングキット（ファルマシア社製）と、ファルマシア  A.L.F.  ＤＮＡシークエンサー（ファルマシア社製）を用いたデオキシチェーンターミネーション法により決定した。このように決定された塩基配列とその塩基配列から予測されるアミノ酸配列を配列番号１に、アミノ酸配列のみを配列番号２に示す。ｐＣＥＶ４Ｃ７が有するｃＤＮＡインサート４Ｃ７は２，３５９ｂｐであり、２７８番目の塩基を翻訳開始点とする３６２アミノ酸残基を有するタンパク質（分子量４１，７５４Ｄａ）をコードすることが明かとなった。アミノ酸配列から予測される構造の模式図を図１に示す。ハイドロパシープロットによる解析の結果、Ｎ末端部１６番目から２９番目のアミノ酸残基の領域に膜貫通領域が存在する２型膜タンパク質であることが判明した。この配列をGenBankに登録されている遺伝子データベースで検索した結果、高度に相同性を示す配列は認められなかった。しかし、シアル酸転移酵素の配列の中央部及びＣ末端側領域に存在するシアル酸転移酵素相同領域のシアリルモチーフ（Ｌ及びＳ）については、多少の置換が見られたものの、比較的高い相同性が認められた（図２）。比較に用いたシアル酸転移酵素は、ST3N-1; Biochem. Biophys. Res. Commun., 194, 375-382, 1993、ST3N-2; J. Biol. Chem., 268, 22782-22787, 1993、ST3O-1; J. Biol. Chem., 269, 17872-17878, 1994、ST3O-2; Eur. J. Biochem., 247, 558-566, 1997、SThM; GenBankTMデータベース、受入番号U14550、ST6N; J. Exp. Med., 172, 641-643, 1990、SAT-II; Proc. Natl. Acad. Sci. U.S.A., 91, 7952-7956, 1994、 STX; J. Biol. Chem., 270, 22685-22688, 1995、ST8SiaIII; GenBankTMデータベース、受入番号AF004668、 PST-1; Proc. Natl. Acad. Sci. U.S.A., 92, 7031-7035, 1995、ST8SiaV; Biochem. Biophys. Res. Commun., 235, 327-330, 1997のそれぞれに記載の１１種である。この結果から、ｐＣＥＶ４Ｃ７のインサート４Ｃ７がコードするＳＡＴ−１はシアル酸転移酵素ファミリーに属すると裏付けられた。本発明ＤＮＡがコードするＳＡＴ−１には、シアリルモチーフＬ中に存在する１７７番目のアミノ酸において、他のシアル酸転移酵素と比較して特徴的なアミノ酸の置換が存在し（アスパラギン酸からヒスチジンへの置換）、またアミノ酸配列からＮ−グリコシレーションサイトにコンセンサスな配列が２つ存在することが示された（図１中、△で示す）。


【手続補正２】
【補正対象書類名】明細書
【補正対象項目名】００７２
【補正方法】変更
【補正の内容】
【００７２】
【配列表】
2000333682.tif 000001
2000333682.tif 000002
2000333682.tif 000003
2000333682.tif 000004
2000333682.tif 000005
2000333682.tif 000006
2000333682.tif 000007
【手続補正書】
【提出日】平成15年10月21日(2003.10.21)
【手続補正１】
【補正対象書類名】明細書
【補正対象項目名】特許請求の範囲
【補正方法】変更
【補正の内容】
【特許請求の範囲】
【請求項１】
患者眼に対して所期する位置関係に位置合わせすることを要する光学系と、該光学系を患者眼に対して相対的に移動する移動手段と、所定の位置関係に配置された複数の撮像素子により患者眼を撮像する撮像光学系と、前記複数の撮像素子から出力される画像信号を同期させる同期手段と、該同期手段により同期して出力される前記複数の撮像素子からの画像信号を取り込む画像取込手段と、取込まれた画像を基に患者眼に対する前記光学系の位置関係を検出する検出手段と、該検出結果に基づいて前記移動手段を駆動制御する駆動制御手段と、を備えることを特徴とする眼科装置。
【請求項２】
請求項１の眼科装置において、前記撮像光学系は撮像光路を分離する光学素子を持ち、前記複数の撮像素子は分離された撮像光路にそれぞれ配置されると共に、それぞれインターレース出力する画素位置が一定の関係を持って配置される第１撮像素子及び第２撮像素子であり、前記画像取込手段は前記同期手段により同期して出力される前記第１撮像素子からの一方のフィールド走査信号と前記第２撮像素子からの他方のフィールド走査信号とを合成して１フレーム分の画像を得る手段であることを特徴とする眼科装置。
【請求項３】
請求項１の眼科装置において、前記撮像光学系は撮像光路を分離する光学素子を持ち、前記複数の撮像素子は分離された撮像光路にそれぞれ配置されると共に、それぞれインターレース出力する画素位置が一定の関係を持って配置される第１撮像素子及び第２撮像素子であり、前記同期手段は前記第１撮像素子及び第２撮像素子から出力される奇数フィールド走査と偶数フィールド走査の画像信号を互い違いに同期させる手段であり、前記画像取込手段は前記第１撮像素子及び第２撮像素子から出力される奇数フィールド走査又は偶数フィールド走査の画像信号の一方のみを取込む手段であることを特徴とする眼科装置。
【請求項４】
請求項１の眼科装置において、前記複数の撮像素子は患者眼像を複数の領域に分割して撮像するように配置されると共に、各撮像素子が持つ画素数は１つの撮像素子で患者眼像を撮像する場合に対して減じられた画素数であり、前記画像取込手段は前記同期手段により同期して出力される前記複数の撮像素子からの画像信号を分割領域に対応させて合成して患者眼像の画像を得る手段であることを特徴とする眼科装置。
【請求項５】
請求項１〜４の何れかの眼科装置はレーザ光により角膜を切除する角膜手術装置であり、位置合わせを要する前記光学系とはレーザ光を患者眼に照射するレーザ照射光学系であることを特徴とする眼科装置。
【手続補正２】
【補正対象書類名】明細書
【補正対象項目名】０００７
【補正方法】変更
【補正の内容】
【０００７】
（１）  患者眼に対して所期する位置関係に位置合わせすることを要する光学系と、該光学系を患者眼に対して相対的に移動する移動手段と、所定の位置関係に配置された複数の撮像素子により患者眼を撮像する撮像光学系と、前記複数の撮像素子から出力される画像信号を同期させる同期手段と、該同期手段により同期して出力される前記複数の撮像素子からの画像信号を取り込む画像取込手段と、取込まれた画像を基に患者眼に対する前記光学系の位置関係を検出する検出手段と、該検出結果に基づいて前記移動手段を駆動制御する駆動制御手段と、を備えることを特徴とする。
（２）  （１）の眼科装置において、前記撮像光学系は撮像光路を分離する光学素子を持ち、前記複数の撮像素子は分離された撮像光路にそれぞれ配置されると共に、それぞれインターレース出力する画素位置が一定の関係を持って配置される第１撮像素子及び第２撮像素子であり、前記画像取込手段は前記同期手段により同期して出力される前記第１撮像素子からの一方のフィールド走査信号と前記第２撮像素子からの他方のフィールド走査信号とを合成して１フレーム分の画像を得る手段であることを特徴とする。
（３）  （１）の眼科装置において、前記撮像光学系は撮像光路を分離する光学素子を持ち、前記複数の撮像素子は分離された撮像光路にそれぞれ配置されると共に、それぞれインターレース出力する画素位置が一定の関係を持って配置される第１撮像素子及び第２撮像素子であり、前記同期手段は前記第１撮像素子及び第２撮像素子から出力される奇数フィールド走査と偶数フィールド走査の画像信号を互い違いに同期させる手段であり、前記画像取込手段は前記第１撮像素子及び第２撮像素子から出力される奇数フィールド走査又は偶数フィールド走査の画像信号の一方のみを取込む手段であることを特徴とする。
（４）  （１）の眼科装置において、前記複数の撮像素子は患者眼像を複数の領域に分割して撮像するように配置されると共に、各撮像素子が持つ画素数は１つの撮像素子で患者眼像を撮像する場合に対して減じられた画素数であり、前記画像取込手段は前記同期手段により同期して出力される前記複数の撮像素子からの画像信号を分割領域に対応させて合成して患者眼像の画像を得る手段であることを特徴とする。
（５）  （１）〜（４）の何れかの眼科装置はレーザ光により角膜を切除する角膜手術装置であり、位置合わせを要する前記光学系とはレーザ光を患者眼に照射するレーザ照射光学系であることを特徴とする。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成15年12月24日(2003.12.24)
【手続補正１】
【補正対象書類名】明細書
【補正対象項目名】特許請求の範囲
【補正方法】変更
【補正の内容】
【特許請求の範囲】
【請求項１】
密封摺動要素を含む複数の部材が組み合わされ、これら複数の部材が相対変位可能に接触することにより静摩擦力を生じる接触面にＤＬＣ皮膜を被着してなり、
前記密封摺動要素は、エキステンションスプリングで環状に結束された多数のセグメントからなり、
ＤＬＣ皮膜が被着される接触面は、前記各セグメントの互いの接触面の双方及び前記セグメントとこれを収容するシールケースとの互いの接触面の双方であることを特徴とする軸封装置。
【請求項２】
密封摺動要素を含む複数の部材が組み合わされ、これら複数の部材が相対変位可能に接触することにより静摩擦力を生じる接触面にＤＬＣ皮膜を被着してなり、
前記密封摺動要素は、回転軸と一体的に回転される回転側摺動リングと機器ハウジング側に固定されて前記回転側摺動リングに軸心とほぼ垂直な端面同士で摺接される静止側摺動リングとからなり、
ＤＬＣ皮膜が被着される接触面は、前記回転側摺動リングと回転軸側との回り止め手段における接触面と、前記静止側摺動リングと機器ハウジング側との回り止め手段における接触面と、前記回転側又は静止側摺動リングを回転軸側又は機器ハウジング側に軸方向移動自在に支持するパッキンとの接触面等の静摩擦力発生面であることを特徴とする軸封装置。
【請求項３】
請求項１又は２の記載において、
ＤＬＣ皮膜を被着する部材は、カーボン焼成体よりなることを特徴とする軸封装置。
【手続補正２】
【補正対象書類名】明細書
【補正対象項目名】０００８
【補正方法】変更
【補正の内容】
【０００８】
【課題を解決するための手段】
上述した技術的課題を有効に解決するための手段として、本発明の請求項１に係る軸封装置は、密封摺動要素を含む複数の部材が組み合わされ、これら複数の部材が相対変位可能に接触することにより静摩擦力を生じる接触面にＤＬＣ皮膜を被着してなり、前記密封摺動要素は、エキステンションスプリングで環状に結束された多数のセグメントからなり、ＤＬＣ皮膜が被着される接触面は、前記各セグメントの互いの接触面の双方及び前記セグメントとこれを収容するシールケースとの互いの接触面の双方であることを特徴とするものであり、また、本発明の請求項２に係る軸封装置は、密封摺動要素を含む複数の部材が組み合わされ、これら複数の部材が相対変位可能に接触することにより静摩擦力を生じる接触面にＤＬＣ皮膜を被着してなり、前記密封摺動要素は、回転軸と一体的に回転される回転側摺動リングと機器ハウジング側に固定されて前記回転側摺動リングに軸心とほぼ垂直な端面同士で摺接される静止側摺動リングとからなり、ＤＬＣ皮膜が被着される接触面は、前記回転側摺動リングと回転軸側との回り止め手段における接触面と、前記静止側摺動リングと機器ハウジング側との回り止め手段における接触面と、前記回転側又は静止側摺動リングを回転軸側又は機器ハウジング側に軸方向移動自在に支持するパッキンとの接触面等の静摩擦力発生面であることを特徴とするものである。ここで、「ＤＬＣ」とはダイヤモンドライクカーボンの略称であって、後で詳述するように、黒鉛を含む高純度の焼成カーボン（以下、黒鉛カーボン焼成体という）とダイヤモンドの中間の性質（組織）を持つものの総称であり、通常の摺動材料として用いられるカーボン材料等に比較して硬いものである。また、ＤＬＣ皮膜は下地材の表面に存在する微小な凹凸を埋めて平滑化する作用を有する。このため、固体潤滑性及び耐摩耗性に優れ、相対変位可能に接触する部材間の静摩擦力を小さくすることができる。ＤＬＣ皮膜を被着する部材としては、請求項３に記載したように、カーボン焼成体よりなるものが好ましい。
【手続補正書】
【提出日】平成15年10月2日(2003.10.2)
【手続補正１】
【補正対象書類名】明細書
【補正対象項目名】特許請求の範囲
【補正方法】変更
【補正の内容】
【特許請求の範囲】
【請求項１】
第１の電極及び誘電体ガラス層が形成されたフロントカバープレートと、第２の電極及び蛍光体層が形成されたバックプレートとを有し、前記第１の電極と前記第２の電極とが所定の距離離間して対向するよう前記フロントカバープレートと前記バックプレートとを配置するとともに、前記フロントカバープレートと前記バックプレートとの間に隔壁を設置し、前記フロントカバープレート、前記バックプレート及び前記隔壁により形成された空間に放電可能なガス媒体を封入して成るプラズマディスプレイパネルであって、
前記誘電体ガラス層の組成が、酸化鉛６０重量％〜８０重量％、酸化硼素１０重量％〜３０重量％、酸化硅素５重量％〜２０重量％、酸化亜鉛１重量％〜５重量％、金属酸化物１重量％〜１０重量％（ただし、金属酸化物は、酸化カリウム、酸化リチウム、酸化ナトリウム、酸化銀、酸化タリウムのうちのいずれか一種）であることを特徴とするプラズマディスプレイパネル。
【請求項２】
第１の電極及び誘電体ガラス層が形成されたフロントカバープレートと、第２の電極及び蛍光体層が形成されたバックプレートとを有し、前記第１の電極と前記第２の電極とが所定の距離離間して対向するよう前記フロントカバープレートと前記バックプレートとを配置するとともに、前記フロントカバープレートと前記バックプレートとの間に隔壁を設置し、前記フロントカバープレート、前記バックプレート及び前記隔壁により形成された空間に放電可能なガス媒体を封入して成るプラズマディスプレイパネルであって、前記誘電体ガラス層の組成が、酸化鉛６０重量％〜８０重量％、酸化硼素１０重量％〜３０重量％、酸化硅素５重量％〜２０重量％、酸化アルミニウム１重量％〜１０重量％、金属酸化物１重量％〜１０重量％（ただし、金属酸化物は、酸化カリウム、酸化リチウム、酸化ナトリウム、酸化銀、酸化タリウムのうちのいずれか一種）であることを特徴とするプラズマディスプレイパネル。
【手続補正書】
【提出日】平成15年9月5日(2003.9.5)
【手続補正１】
【補正対象書類名】明細書
【補正対象項目名】特許請求の範囲
【補正方法】変更
【補正の内容】
【特許請求の範囲】
【請求項１】
複数の変動表示領域にて複数の識別情報を変動表示する変動表示ゲームを行う変動表示装置と、
遊技領域における遊技の進行を制御する遊技制御手段と、
前記遊技制御手段からの指令に基づいて、前記変動表示装置の表示制御を行う表示制御手段と、
を備え、
前記変動表示ゲームの停止結果が当り態様であった場合に、遊技者に有利な特別遊技状態を発生させる遊技機において、
前記遊技制御手段は、
前記表示制御手段に対して、前記変動表示装置にて行われる演出表示の実行時間を指定する演出表示時間指定信号と、識別情報の最終的な停止態様を指定する最終停止態様指定信号と、を送出するように構成され、
前記表示制御手段は、
前記複数の識別情報を一時的に停止表示させる疑似停止表示を、前記演出実行時間指定信号によって指定される演出表示の実行時間に対応させて予め設定されている回数行う疑似停止表示手段を有し、
前記疑似停止表示手段は、
前記複数の識別情報の変動表示がリーチ状態となり、未だ変動中の識別情報の疑似停止表示を行う回数を、前記演出表示時間指定信号に基づいて選択して、前記変動表示領域に所定のキャラクター図柄を疑似停止表示の回数に対応した数だけ表示し、１回の疑似停止表示をする毎に、前記キャラクター図柄を１つ減らすようにしたことを特徴とする遊技機。
【請求項２】
前記疑似停止表示手段は、
前記疑似停止表示の発生する間隔が不等間隔となるように制御することを特徴とする請求項１に記載の遊技機。
【手続補正２】
【補正対象書類名】明細書
【補正対象項目名】００１１
【補正方法】変更
【補正の内容】
【００１１】
【課題を解決するための手段】
上記目的を達成するため本発明は、複数の変動表示領域にて複数の識別情報を変動表示する変動表示ゲームを行う変動表示装置と、遊技領域における遊技の進行を制御する遊技制御手段と、前記遊技制御手段からの指令に基づいて、前記変動表示装置の表示制御を行う表示制御手段とを備え、前記変動表示ゲームの停止結果が当り態様であった場合に、遊技者に有利な特別遊技状態を発生させる遊技機において、前記遊技制御手段は、前記表示制御手段に対して、前記変動表示装置にて行われる演出表示の実行時間を指定する演出表示時間指定信号と、識別情報の最終的な停止態様を指定する最終停止態様指定信号と、を送出するように構成され、前記表示制御手段は、前記複数の識別情報を一時的に停止表示させる疑似停止表示を、前記演出実行時間指定信号によって指定される演出表示の実行時間に対応させて予め設定されている回数行う疑似停止表示手段を有し、前記疑似停止表示手段は、前記複数の識別情報の変動表示がリーチ状態となり、未だ変動中の識別情報の疑似停止表示を行う回数を、前記演出表示時間指定信号に基づいて選択して、前記変動表示領域に所定のキャラクター図柄を疑似停止表示の回数に対応した数だけ表示し、１回の疑似停止表示をする毎に、前記キャラクター図柄を１つ減らすようにした。


【手続補正３】
【補正対象書類名】明細書
【補正対象項目名】００１２
【補正方法】変更
【補正の内容】
【００１２】
これによれば、図柄の疑似停止表示と変動表示を所定回数にわたって繰り返す演出を行う場合に、疑似停止表示を行う回数は、遊技制御手段から指定される演出表示の表示時間に対応させてあるので、他の演出装置の制御を演出表示時間に相当する演出実行時間に基づいて行うことによりタイミングずれを生じることがなく、協調性のある演出表現を行うことができる。なお、疑似停止表示としては、識別情報としての図柄の一時停止、回転、拡大縮小、モーフィング等が含まれる。
また、キャラクター図柄を１つ減らすことで、残りの疑似停止表示の回数を示すことができる。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】変更
【補正の内容】
【００１９】
さらに、前記疑似停止表示手段は、疑似停止表示の発生する間隔が不等間隔となるように制御するようにしてもよい。これによれば、疑似停止表示の行われるタイミングが一定時間毎とならないため、遊技者に意外性を感じさせて飽きのこない演出を行うことができる。特に、疑似停止表示の行われるタイミングを徐々に速くするように制御するならばスピード感を表現することができ、逆に徐々に遅くなるように制御するならば、焦れったさを感じさせることができる。


【手続補正１１】
【補正対象書類名】明細書
【補正対象項目名】００７５
【補正方法】変更
【補正の内容】
【００７５】
【発明の効果】
本発明は、複数の変動表示領域にて複数の識別情報を変動表示する変動表示ゲームを行う変動表示装置と、遊技領域における遊技の進行を制御する遊技制御手段と、前記遊技制御手段からの指令に基づいて、前記変動表示装置の表示制御を行う表示制御手段とを備え、前記変動表示ゲームの停止結果が当り態様であった場合に、遊技者に有利な特別遊技状態を発生させる遊技機において、前記遊技制御手段は、前記表示制御手段に対して、前記変動表示装置にて行われる演出表示の実行時間を指定する演出表示時間指定信号と、識別情報の最終的な停止態様を指定する最終停止態様指定信号と、を送出するように構成され、前記表示制御手段は、前記複数の識別情報を一時的に停止表示させる疑似停止表示を、前記演出実行時間指定信号によって指定される演出表示の実行時間に対応させて予め設定されている回数行う疑似停止表示手段を有しているので、図柄の疑似停止表示と変動表示を所定回数にわたって繰り返す演出を行う場合に、疑似停止表示を行う回数は、遊技制御手段から指定される演出表示の表示時間に対応させてあるので、疑似停止表示の回数が変わっても全体の変動表示時間は同じにすることができ、他の演出装置の制御を演出表示時間に相当する演出実行時間に基づいて行うことによりタイミングずれを生じることがなく、協調性のある演出表現を行うことができるという効果がある。
また、前記疑似停止表示手段は、前記複数の識別情報の変動表示がリーチ状態となり、未だ変動中の識別情報の疑似停止表示を行う回数を、前記演出表示時間指定信号に基づいて選択して、前記変動表示領域に所定のキャラクター図柄を疑似停止表示の回数に対応した数だけ表示し、１回の疑似停止表示をする毎に、前記キャラクター図柄を１つ減らすようにしたので、残りの疑似停止表示の回数を視覚的に示すことができるという効果がある。
【手続補正書】
【提出日】平成15年11月20日(2003.11.20)
【手続補正１】
【補正対象書類名】明細書
【補正対象項目名】０００２
【補正方法】変更
【補正の内容】
【０００２】
【従来の技術】
例えば、被加工部材としてのシリコンの結晶材料を薄く切断して半導体ウェハを製造する手段として、ワイヤと加工液（スラリー）とを使用して切断するワイヤソー装置がある。このワイヤソー装置は、図７及び図８に示すように新線リール（図示せず）から繰り出されたワイヤ１を３本の溝付きローラ２、３、４に所定のピッチ（スライスすべき板厚＋切り代）で各溝（図示せず）に巻き掛け、これら複数列のワイヤ１にテーブル８に配設され、スライス台１２に固定された被加工部材（以下「ワーク」という）９を下方から上方に、又は上方から下方に圧接させながら、モータ５によりローラ２を駆動して所定のワイヤ速度（往復速度）＋ワイヤフィード（新線繰り出し量）になるようにワイヤ１を矢印で示すように往復直線走行させると共に、ワーク９の上方に配設したノズル６から加工液７を供給し、ワイヤ１により加工液７中の遊離砥粒のラッピングを作用させてワーク９の切断加工を行う。ローラ４を出たワイヤ１は巻取リール（図示せず）に巻き取られる。
【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
印刷データに基づいてノズル開口からインク滴を吐出することで記録用紙に印字を行うインクジェット式記録ヘッドと、前記記録ヘッドのノズル形成面を封止し、負圧発生手段からの負圧を受けてノズル開口から内部空間にインクを吸引排出させることができるキャッピング手段とを具備したインクジェット式記録装置であって、
前記キャッピング手段は、少なくともキャッピング手段の内底面を形成するホルダ部材と、前記ホルダ部材の開口部に突出するようにして形成され、前記記録ヘッドのノズル形成面に当接して記録ヘッドを封止することができるシール部材とにより構成され、且つ、ホルダ部材の前記内底面には、前記負圧発生手段に連通するインク排出口が形成されると共に、記録ヘッドより前記内部空間に排出されたインクに毛細管作用を発生させて、内部空間のインクを前記インク排出口に誘導するインク誘導手段が形成されており、
前記ホルダ部材は、キャッピング手段の内底面と外郭部材とが一体に成形され、前記シール部材は、ホルダ部材の開口部に突出するように成形されると共に、前記ホルダ部材の内底面と外郭部材との間に一体に成形されていることを特徴とするインクジェット式記録装置。
【請求項２】
印刷データに基づいてノズル開口からインク滴を吐出することで記録用紙に印字を行うインクジェット式記録ヘッドと、前記記録ヘッドのノズル形成面を封止し、負圧発生手段からの負圧を受けてノズル開口から内部空間にインクを吸引排出させることができるキャッピング手段とを具備したインクジェット式記録装置であって、
前記キャッピング手段は、開口部から内部空間の底部に向かってそれぞれ円弧状に傾斜する一対の傾斜面が形成されたホルダ部材と、前記ホルダ部材の開口部に突出するようにして形成され、前記記録ヘッドのノズル形成面に当接して記録ヘッドを封止することができるシール部材とにより構成され、且つ、ホルダ部材の内底面には、前記負圧発生手段に連通するインク排出口が形成されると共に、記録ヘッドより前記内部空間に排出されたインクに毛細管作用を発生させて、内部空間のインクを前記インク排出口に誘導するインク誘導手段が形成されていることを特徴とするインクジェット式記録装置。
【請求項３】
前記インク誘導手段は、前記内底面に溝部を構成することで構成されていることを特徴とする請求項２に記載のインクジェット式記録装置。
【請求項４】
前記キャッピング手段は、その開口部が長方形状に形成され、長方形状の長辺方向に沿って前記溝部が形成された請求項３に記載のインクジェット式記録装置。
【請求項５】
前記キャッピング手段の内底面には、撥水処理が施された請求項１乃至請求項４のいずれかに記載のインクジェット式記録装置。
【請求項６】
前記キャッピング手段の内底面の表面粗さが、２５μ以内に形成された請求項１乃至請求項５のいずれかに記載のインクジェット式記録装置。
【手続補正２】
【補正対象書類名】明細書
【補正対象項目名】００１４
【補正方法】変更
【補正の内容】
【００１４】
【課題を解決するための手段】
前記した目的を達成するためになされた本発明にかかるインクジェット式記録装置は、印刷データに基づいてノズル開口からインク滴を吐出することで記録用紙に印字を行うインクジェット式記録ヘッドと、前記記録ヘッドのノズル形成面を封止し、負圧発生手段からの負圧を受けてノズル開口から内部空間にインクを吸引排出させることができるキャッピング手段とを具備したインクジェット式記録装置であって、前記キャッピング手段は、少なくともキャッピング手段の内底面を形成するホルダ部材と、前記ホルダ部材の開口部に突出するようにして形成され、前記記録ヘッドのノズル形成面に当接して記録ヘッドを封止することができるシール部材とにより構成され、且つ、ホルダ部材の前記内底面には、前記負圧発生手段に連通するインク排出口が形成されると共に、記録ヘッドより前記内部空間に排出されたインクに毛細管作用を発生させて、内部空間のインクを前記インク排出口に誘導するインク誘導手段が形成されており、前記ホルダ部材は、キャッピング手段の内底面と外郭部材とが一体に成形され、前記シール部材は、ホルダ部材の開口部に突出するように成形されると共に、前記ホルダ部材の内底面と外郭部材との間に一体に成形されている点に特徴を有する。


【手続補正３】
【補正対象書類名】明細書
【補正対象項目名】００１５
【補正方法】変更
【補正の内容】
【００１５】
また、前記した目的を達成するためになされた本発明にかかるインクジェット式記録装置は、印刷データに基づいてノズル開口からインク滴を吐出することで記録用紙に印字を行うインクジェット式記録ヘッドと、前記記録ヘッドのノズル形成面を封止し、負圧発生手段からの負圧を受けてノズル開口から内部空間にインクを吸引排出させることができるキャッピング手段とを具備したインクジェット式記録装置であって、前記キャッピング手段は、開口部から内部空間の底部に向かってそれぞれ円弧状に傾斜する一対の傾斜面が形成されたホルダ部材と、前記ホルダ部材の開口部に突出するようにして形成され、前記記録ヘッドのノズル形成面に当接して記録ヘッドを封止することができるシール部材とにより構成され、且つ、ホルダ部材の内底面には、前記負圧発生手段に連通するインク排出口が形成されると共に、記録ヘッドより前記内部空間に排出されたインクに毛細管作用を発生させて、内部空間のインクを前記インク排出口に誘導するインク誘導手段が形成されている点に特徴を有する。
【手続補正４】
【補正対象書類名】明細書
【補正対象項目名】００１６
【補正方法】変更
【補正の内容】
【００１６】
この場合、好ましい実施の形態においては前記インク誘導手段は、前記内底面に溝部を構成することで構成される。そして、前記キャッピング手段は、好ましくはその開口部が長方形状に形成され、長方形状の長辺方向に沿って前記溝部が形成された構成とされる。


【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】